(57)【要約】【課題】商品が冷却可能な対象品であるか加温可能な対象品であるかの冷温種別と冷温保存状態との一致を目的にあわせて容易に確認できる自動販売機を提供する。【解決手段】複数の選択ボタンと、複数の商品収納部と、複数の断熱庫と、前記複数の選択ボタンと前記複数の商品収納部とを任意に対応させて設定するとともに、前記複数の断熱庫の各々を冷温設定する設定装置とを備え、前記複数の選択ボタンの各々に対応する商品見本および冷温表示部材が設けられた自動販売機において、所定の確認用モードで任意の選択ボタンが押されたときに、前記選択ボタンにより選択された商品が収納されている断熱庫の場所とその冷温設定種別とを同時に表示する表示部を、たとえば投入金額表示部１５を利用して設ける。【選択図】図８
2009053775.tif 000002
【特許請求の範囲】
【請求項１】
商品を選択する複数の選択ボタンと、同種類の商品が収納されている複数の商品収納部と、前記複数の商品収納部が分けられて配列されている複数の断熱庫と、前記複数の選択ボタンと前記複数の商品収納部とを任意に対応させて設定するとともに、前記複数の断熱庫の各々を冷温設定する設定装置とを備え、前記複数の選択ボタンの各々に対応する商品の見本および前記商品が冷却商品であるか加温商品であるかを表示する冷温表示部材が設けられている自動販売機において、
所定の確認用モードで任意の選択ボタンが押されたときに、前記選択ボタンにより選択された商品が収納されている断熱庫の場所とその冷温設定種別とを同時に表示する表示部を具備したことを特徴とする自動販売機。
【請求項２】
所定の確認用モードで任意の商品の選択ボタンが押されたときにさらに、前記選択ボタンにより選択された商品が収納されている断熱庫内の全商品収納部に対応する選択ボタンを全て特定表示するように構成されていることを特徴とする請求項１記載の自動販売機。
【請求項３】
選択ボタンを特定表示する表示部が、商品が販売可能であることを示す販売可ランプまたは商品が売切状態であることを示す売切ランプを兼ねていることを特徴とする請求項２記載の自動販売機。
【請求項４】
断熱庫の場所とその冷温設定種別とを表示する表示部が投入金額表示部を兼ねていることを特徴とする請求項１〜請求項３のいずれかに記載の自動販売機。
【請求項５】
表示部においては、各桁の数の並びに複数の断熱庫の並びが関連づけられ、該当する断熱庫の場所に対応する桁の表示領域に冷温設定種別を表す文字あるいは記号が表示されることを特徴とする請求項４記載の自動販売機。
【請求項６】
確認用モードでの表示時期は、設定装置に予め記憶させた複数の表示モードの一つを選択することで変更可能であることを特徴とする請求項１〜請求項５のいずれかに記載の自動販売機。
【請求項７】
確認用モードでの表示時期は、断熱庫の冷温設定変更後、最初に料金が投入されるまでの販売待機中であることを特徴とする請求項１〜請求項６のいずれかに記載の自動販売機。
【請求項８】
確認用モードでの表示時期は、断熱庫の冷温設定変更後の一定時間であることを特徴とする請求項１〜請求項６のいずれかに記載の自動販売機。
【請求項９】
確認用モードでの表示時期は、自動販売機本体に取付けられた外扉の開放時であることを特徴とする請求項１〜請求項６のいずれかに記載の自動販売機。
【発明の詳細な説明】
【技術分野】
【０００１】
本発明は、冷却機能と加熱機能とを有する自動販売機に関するものである。
【背景技術】
【０００２】
自動販売機は、自動販売機本体の商品展示室に複数の商品見本を展示し、各商品見本に対応する位置に、商品を選択する選択ボタンを設けるとともに、この選択ボタンに対応して、商品の保存温度に関する情報、即ち冷たい商品であるか温かい商品であるかを表示する冷温表示部材を設けている。自動販売機本体内には、複数の断熱庫を設け、各断熱庫に複数の商品収納部（いわゆる商品収納コラム）を配列している。
【０００３】
この種の自動販売機においては、予め、外扉裏面などに設けられている入力手段としてのキーボードと表示部とを用いながら、選択ボタンと商品収納部との対応関係を個別に設定している。販売商品の変更や季節の変化等により、各商品の保存温度、即ち各商品収納部の設定温度を変更する場合には、上記の設定を行う他に、各冷温表示部材の表示も切り替えている。
【０００４】
しかしこれらの作業は人為的に行っているので、冷温表示部材の表示切り替えミスなどが発生することもあり、商品の実際の保存温度と冷温表示部材の表示とが不一致になった場合には、利用客に対するサービスの低下を来してしまう。
【０００５】
これに対処するものとして、各商品収納部が冷却運転であるか加熱運転であるかを判別し、表示切換スイッチの操作によって、冷却運転の商品収納部に収納されている商品の選択ボタンに内蔵された販売可ランプを点灯させ、加熱運転の商品収納部に収納されている商品の販売可ランプを点滅させることで、各商品見本に対応する商品の保存温度を容易に確認できるようにし、任意の商品の保存温度を変更した場合の表示切り替えの誤りを防止するものがある（特許文献１）。
【特許文献１】特開平１０−１７２０３９公報
【発明の開示】
【発明が解決しようとする課題】
【０００６】
商品収納部の設定温度の変更、すなわち冷温切り替えは、必ず断熱庫単位で（多くの場合には１つの断熱庫のみ）行っており、それに伴って任意に断熱庫内の商品収納部に収納する商品を入れ替え、冷温表示部材の表示切り替えを行っている。
【０００７】
ところが、上述の特許文献１の自動販売機は単に、選択ボタンに対応する商品収納部の冷温状態を販売可ランプの点灯・点滅によって表示するだけであり、断熱庫と選択ボタンとの対応関係がわからない状態で、全ての選択ボタンについて、販売可ランプの点灯・点滅を認識し、冷温表示部材の表示と見比べることによって、冷温表示部材の表示切り替えが正しいか否かを確認しなければならない。
【０００８】
つまり、冷温切り替えした断熱庫が１室のみであっても、全断熱庫の全商品収納部に対応する全ての選択ボタンについて、販売可ランプの点灯・点滅を認識し、冷温表示部材の表示と見比べ、表示の正否を確認することを要するのであり、多くの手間や時間がかかる。
【０００９】
本発明は上記問題を解決するもので、選択ボタンに対応する商品の実際の冷温種別と冷温保存状態の表示との一致を能率よく確認できる自動販売機を提供することを目的とする。
【課題を解決するための手段】
【００１０】
上記課題を解決するために本発明は、商品を選択する複数の選択ボタンと、同種類の商品が収納されている複数の商品収納部と、前記複数の商品収納部が分けられて配列されている複数の断熱庫と、前記複数の選択ボタンと前記複数の商品収納部とを任意に対応させて設定するとともに、前記複数の断熱庫の各々を冷温設定する設定装置とを備え、前記複数の選択ボタンの各々に対応する商品の見本および前記商品が冷却商品であるか加温商品であるかを表示する冷温表示部材が設けられている自動販売機において、所定の確認用モードで任意の選択ボタンが押されたときに、前記選択ボタンにより選択された商品が収納されている断熱庫の場所とその冷温設定種別とを同時に表示する表示部を具備したことを特徴とする。
【００１１】
上記構成によれば、自動販売機の管理者は、商品の保存温度の変更や商品の入れ替え（品種変更）をした後などに、商品が冷却可能な対象品（例えば炭酸飲料やジュース類；以下冷却対象品という）であるか加温可能な対象品（例えばコーヒーやお茶；以下加温対象品という）であるかの冷温種別と冷温保存状態との一致を確認するときには、選択ボタンを押し、表示部を見て、まず、商品の保存温度や品種を変更した対象の断熱庫であるか否かを判別し、対象の断熱庫であるときのみ、断熱庫の冷温設定種別の表示と前記選択ボタンに対応した商品見本および冷温表示部材の冷温表示種別とが一致しているかを見比べればよい。したがって、全ての選択ボタンについて見比べを要した従来機に比べて、確認作業を容易に短時間に行なうことが可能である。
【００１２】
所定の確認用モードで任意の商品の選択ボタンが押されたときにさらに、前記選択ボタンにより選択された商品が収納されている断熱庫内の全商品収納部に対応する選択ボタンを全て特定表示するように構成されていることを特徴とする。
【００１３】
このような自動販売機にあっては、管理者は、特定表示された選択ボタンを見ることで、同じ冷却（または加温）保存状態にある商品を一括して認識できるので、各選択ボタンに対応して設けられた商品見本、冷温表示板の表示が前記冷却（または加温）保存状態に合致しているかの確認や、各選択ボタンに対応して新たに商品見本、冷温表示板を設ける場合の組み付けが容易である。
【００１４】
選択ボタンを特定表示する表示部が、商品が販売可能であることを示す販売可ランプまたは商品が売切状態であることを示す売切ランプを兼ねていることを特徴とする。従来より設けられている販売可ランプに複数の表示機能を持たせるもので、簡素な構造を実現でき、特別の設備を要さない。
【００１５】
断熱庫とその冷温設定種別とを表示する表示部が投入金額表示部を兼ねていることを特徴とする。従来より設けられている販売可ランプに複数の表示機能を持たせるもので、簡素な構造を実現でき、特別の設備を要さない。
【００１６】
表示部においては、各桁の数の並びに複数の断熱庫の並びが関連づけられ、該当する断熱庫の場所に対応する桁の表示領域に冷温設定種別を表す文字あるいは記号が表示されることを特徴とする。これにより、断熱庫の場所を視覚的に容易に認識することが可能である。
【００１７】
確認用モードでの表示時期は、設定装置に予め記憶させた複数の表示モードの一つを選択することで変更可能とするのが都合よい。かかる確認用モードでの表示時期は、断熱庫の冷温設定変更後、最初に料金が投入されるまでの販売待機中や、断熱庫の冷温設定変更後の一定時間や、自動販売機本体に取付けられた外扉の開放時などとすることができる。
【発明の効果】
【００１８】
本発明の自動販売機では、管理者が、商品の保存温度の変更や商品の入れ替え（品種変更）をした後などに、商品が冷却対象品であるか加温対象品であるかの冷温種別と冷温保存状態との一致を確認するときには、選択ボタンを押し、表示部を見て、まず商品の保存温度や品種を変更した対象の断熱庫であるか否かを判別し、対象の断熱庫であるときのみ、断熱庫の冷温設定種別の表示と前記選択ボタンにより選択した商品の冷温種別とが一致しているかを見比べればよく、全ての選択ボタンについて見比べを要する従来機に比べて確認作業を容易に短時間に行なうことが可能である。
【００１９】
また上記の表示部での表示に加えて、選択ボタンにより選択された商品が収納されている断熱庫内の全商品収納部に対応する全選択ボタンを特定表示するように構成することにより、管理者は、特定表示された選択ボタンを見ることで、同じ断熱庫の冷却（または加温）保存状態にある商品を一括して認識できることとなる。よって、特定表示された各選択ボタンに対応した商品見本、冷温表示板の表示が冷却（または加温）保存状態に合致しているかの確認や、各選択ボタンに対応させて新たに商品見本、冷温表示板を設ける場合の組み付けが容易になる。
【発明を実施するための最良の形態】
【００２０】
以下、本発明の実施の形態にかかる自動販売機を図面に基づいて説明する。
図１〜図５において、自動販売機の販売機本体１には、冷却機能と加温機能とを有する複数の断熱庫２０が設けられ、各断熱庫２０内に、同種類の商品２を収納し補充順に払い出す商品払出機能を有する複数の商品収納部３が配列されており、各商品収納部３の商品補充口を含んだ開口部、つまり販売機本体１の内箱の開口部を開閉する内扉５と、販売機本体１の外箱の開口部を開閉し、各商品収納部３の商品２に対応する商品見本６を展示する商品展示室２１を設けた外扉７とが取付けられている。
【００２１】
外扉７の裏面には、各種の設定を行ったり、その設定状態を表示したりする表示部８および入力キー９を有する表示入力設定部１１が設けられている。外扉７の前面には、各商品見本６の下方に各商品見本６に対応する選択ボタン１２が設けられるとともに、商品２を払い出す商品取出口１３、料金を投入するためのコイン投入部１４、投入金額などを表示する投入金額表示部１５などが設けられている。
【００２２】
各選択ボタン１２には販売可ランプ１２ａと売切ランプ１２ｂとが内蔵されており、売切ランプ１２ｂに該当する個所に「売切」の文字表示がなされている。商品展示室２１において商品見本６を設置する商品棚２２には、選択ボタン１２および商品見本６に対応して、商品２の保存温度に関する情報を表示する冷温表示板２３が取付けられており、冷却商品見本群が並べられた箇所の冷温表示板２３には青色地で「ＣＯＬＤ」と表示され、加温商品見本群が並べられた箇所の冷温表示板２３には赤色地で「ＨＯＴ」と表示されている。
【００２３】
販売機本体１にはさらに、各商品収納部３における商品２の売切れを出力する売切スイッチ４と、各商品収納部３における商品２の温度を検知する商品温度検知センサ１０と、各断熱庫２０の冷却機能と加温機能とを切り替える冷温切替スイッチ２４と、演算手段や比較判定手段を有した制御部１６が設けられている。
【００２４】
そしてこの制御部１６によって、売切スイッチ４、入力キー９、商品温度検知センサ１０、各選択ボタン１２、コイン投入部１４、冷温切替スイッチ２４などからの出力信号に基いて、断熱庫２０ごとに冷却運転あるいは加熱運転が行なわれ、各商品収納部３において商品２の払い出しまたは払い出し停止が行われるとともに、投入金額表示部１５において投入金額などが表示され、各選択ボタン１２に対応して設けられた売切ランプ１２ｂ、販売可ランプ１２ａが所定の色で点灯あるいは消灯される。
【００２５】
上記のような制御を行なうためには、予め、選択ボタン１２と商品収納部３との対応関係が表示入力設定部１１により個別に設定され、制御部１６に記憶される。販売商品の変更や季節の変化等により、各商品２の保存温度、即ち各商品収納部３の設定温度を変更するときは、冷温切替スイッチ２４により断熱庫２０単位で冷温切り替えが行なわれ、必要に応じて、各商品収納部３への商品２の入れ替え、各冷温表示板２３の表示の切り替え、商品見本６の入れ替えが行なわれる。
【００２６】
このため、商品２の保存温度の変更や入れ替え（品種変更）をした後などに、商品２が冷却対象品であるか加温対象品であるかの冷温種別と冷温保存状態との一致を確認できるように、投入金額表示部１５は、料金未投入状態でいずれか１つの選択ボタン１２が押されたときに、その選択ボタン１２で選択された商品２が収納されている断熱庫２０の場所とその断熱庫２０の冷温設定種別とを同時に表示するように構成されている。
【００２７】
図６に示すように、投入金額表示部１５は、いわゆる７セグメントまたは８セグメントＬＥＤを複数桁分だけ横に並べたもので、一般に４桁までの数を表示可能とされているので、下３桁の各数の表示領域が３室の断熱庫２０の場所に見立てられ、百の桁の数の表示領域への表示が左端の断熱庫２０を表し、十の桁の数の表示領域への表示が中央の断熱庫２０を表し、一の桁の数の表示領域への表示が右端の断熱庫２０を表すように構成されている。図示した例では、一の桁の数の表示領域に「Ｃ」が表示されているので、選択ボタン１２を押すことで選択された商品２が収納されているのが右端の断熱庫２０であること、その右端の断熱庫２０の冷温設定種別が冷却であることが表されている。残りの表示領域は「−」が表示されていて、該当する断熱庫２０の場所が明確化されている。なお加温であれば「Ｈ」が表示される。
【００２８】
したがって、自動販売機の管理者は、任意の選択ボタン１２を押し、投入金額表示部１５を見て、冷温設定切り替えや商品２の入れ替えを行った対象の断熱庫２０であるか否かをまず判別し、対象の断熱庫２０であるときのみ、断熱庫２０の冷温設定種別の表示と、選択ボタン１２に対応する商品見本６および冷温表示板２３の冷温種別とが一致しているかを見比べれば済む。
【００２９】
よって、従来機では、断熱庫２０の場所が表示されないため、対象の断熱庫２０であるかどうかがわからない状態で、全ての選択ボタン１２についていちいち見比べなければならなかったのに比べて、確認作業を容易に短時間で行なうことが可能である。
【００３０】
以下に具体例を挙げて説明する。図７は断熱庫が３室ある３室機を正面視した状態で示した模式図である。
左端の断熱庫αには商品収納部α１〜α４が配列されており、中央の断熱庫βには商品収納部β１〜β８が配列されており、右端の断熱庫γには商品収納部γ１〜γ８が配列されている。
【００３１】
選択ボタンＢ１〜Ｂ２０は上下２段に配列されており、各々の近傍に商品見本Ｓ１〜Ｓ２０および冷温表示板「Ｈ」「Ｃ」が取付けられている。冷温表示板「Ｈ」「Ｃ」はＨＯＴ、ＣＯＬＤを略記したものである。
【００３２】
なお、説明を簡単にするために、商品収納部α１〜α４は選択ボタンＢ１〜Ｂ４に対応し、商品収納部β１〜β８は選択ボタンＢ５〜Ｂ１２に対応し、商品収納部γ１〜γ８は選択ボタンＢ１３〜Ｂ２０に対応していることとするが、実際にはこれらの対応関係は管理者等が自由に設定変更できるため複雑となり易く、機外から見ただけではわかりにくい。
【００３３】
この３室機において、断熱庫α：β：γの冷温設定種別がＣ：Ｃ：ＣであったものをＣ：Ｈ：Ｃに設定変更し（Ｃは冷却設定、Ｈは加温設定を表す）、Ｃ→Ｈに冷温切り替えした断熱庫βの商品収納部β１〜β８に新たな加温対象品を入れた場合について説明する。
【００３４】
この場合、管理者は、選択ボタンＢ５〜Ｂ１２の近傍の所定位置に新たな加温対象品に対応する商品見本Ｓ５〜Ｓ１２を展示し、その各々について冷温表示板Ｈへ切り替える。その後に、新たな加温対象品の各々について、その冷温表示種別と冷温設定種別とが一致するかを確認する。つまり管理者は、商品見本Ｓ１〜Ｓ２０の展示が、選択ボタンＢ１〜Ｂ２０と商品収納部α１〜α４，β１〜β８，γ１〜γ８との対応と合っていることを前提として、商品見本Ｓ５〜Ｓ１２が加温対象品であるか、および、商品見本Ｓ５〜Ｓ１２の近傍に冷温表示板Ｈが取付けられているかを確認する。
【００３５】
そのために、所定の確認用モードの状態（たとえば料金未投入状態）で、たとえば上段左端にある選択ボタンＢ１、その隣の選択ボタンＢ２、・・・、Ｂ１０、下段左端にある選択ボタンＢ１１、その隣の選択ボタンＢ１２、・・・Ｂ２０、というように順に押していく。
【００３６】
この際に、選択ボタンＢ１を押したときには、図８（ａ）に示すように、投入金額表示部１５の百の桁の数の表示領域に「Ｃ」が表示されるので、管理者は、この投入金額表示部１５を見て、選択ボタンＢ１で選択した商品が収納されているのが左端の断熱庫αであること、その断熱庫αの冷温設定種別が冷却であることを容易に認識できる。
【００３７】
この場合、管理者は、断熱庫αの場所を視覚的に認識できることから、冷温切り替えした断熱庫βでないことを直感的に判別できるので、投入金額表示部１５に表示された冷温設定種別「Ｃ」には特に気に留める必要はなく、選択ボタンＢ１の近傍の商品見本Ｓ１および冷温表示板の表示「Ｃ」を見る必要もない。選択ボタンＢ２〜Ｂ４を押したときも同様である。
【００３８】
選択ボタンＢ５を押したときには、図８（ｂ）に示すように、投入金額表示部１５の十の桁の数の表示領域に「Ｈ」が表示されるので、管理者は、この投入金額表示部１５を見て、選択ボタンＢ５で選択した商品が収納されているのが中央の断熱庫βであること、その断熱庫βの冷温設定種別が加温であることを容易に認識できる。
【００３９】
この場合、管理者は、断熱庫βの場所を視覚的に認識できることから、冷温切り替えした断熱庫βであることを直感的に判別できるので、投入金額表示部１５に表示された冷温設定種別「Ｈ」と、選択ボタンＢ５の近傍の商品見本Ｓ５および冷温表示板の表示「Ｈ」とを見比べて、全てが一致して「加温」を表している（あるいは対象としている）かを確認することとなる。一致していなければ、商品見本Ｓ５を設置し直したり、冷温表示板の表示を「Ｈ」に切り替える。選択ボタンＢ６〜Ｂ１２を押したときも同様である。
【００４０】
選択ボタンＢ１３を押したときには、図８（ｃ）に示すように、投入金額表示部１５の一の桁の数の表示領域に「Ｃ」が表示されるので、管理者は、この投入金額表示部１５を見て、選択ボタンＢ１３で選択した商品が収納されているのが右端の断熱庫γであること、その断熱庫γの冷温設定種別が冷却であることを容易に認識できる。
【００４１】
この場合、管理者は、断熱庫γの場所を視覚的に認識できることから、冷温切り替えした断熱庫βでないことを直感的に判別できるので、投入金額表示部１５に表示された冷温設定種別「Ｃ」には特に気に留める必要はなく、選択ボタンＢ１３の近傍の商品見本Ｓ１３および冷温表示板の表示「Ｃ」を見る必要もない。選択ボタンＢ１４〜Ｂ２０を押したときも同様である。
【００４２】
以上のように、管理者は、選択ボタンＢ１〜Ｂ２０を押し、投入金額表示部１５を見て、冷温切り替えした断熱庫β（またはαあるいはγ）であることを判別したときのみ、断熱庫β（またはαあるいはγ）の冷温設定種別の表示と、押した選択ボタンＢ１〜Ｂ２０に対応する商品見本Ｓ１〜Ｓ２０および冷温表示板の表示「Ｈ」「Ｃ」とが一致しているかを見比べれば済むので、確認作業を容易にかつ比較的短時間で行なうことが可能である。
【００４３】
次に、上記の３室機において、断熱庫α：β：γの冷温設定種別を変更することなく一部の商品を入れ替えた場合について、再び図７および図８を参照して説明する。
断熱庫α：β：γがＣ：Ｈ：Ｃの状態において、断熱庫αの商品収納部α４と断熱庫γの商品収納部γ１とに同一品種の商品を入れていたものを、商品収納部γ１の商品を入れ変えて、断熱庫αの商品収納部α４と断熱庫γの商品収納部γ１とに異なる品種の商品が収納される結果となったこととする。ただし、上述したように商品収納部α１〜α４，β１〜β８，γ１〜γ８と選択ボタンＢ１〜Ｂ２０との対応が複雑であるため、各々の対応関係が管理者の記憶上であいまいになっているものとする。
【００４４】
このような管理者は、商品収納部α４，商品収納部γ１に対応するのが、変更前の品種を表している商品見本Ｓ４，商品見本Ｓ１３であること、および、その各々の近傍の選択ボタンＢ４，選択ボタンＢ１３であることはわかるものの、商品収納部α４，商品収納部γ１と選択ボタンＢ４，選択ボタンＢ１３との１対１の対応関係が不明瞭となり、商品見本Ｓ４，商品見本Ｓ１３の内のどちらを新たな商品に対応するものに変更すべきかがわからなくなることがある。
【００４５】
そのときには、管理者は、たとえば商品見本Ｓ４の近傍の選択ボタンＢ４を押す。これにより、図８（ａ）に示すように、投入金額表示部１５の百の桁の数の表示領域に「Ｃ」が表示された場合、選択ボタンＢ４で選択した商品が収納されているのが左端の断熱庫αであること、その断熱庫αの冷温設定種別が冷却であることを容易に認識できる。そしてその認識結果から、商品を入れ変えた商品収納部γ１に対応するのが残りの選択ボタンＢ１３および商品見本Ｓ１３であり、商品見本Ｓ１３を変更すべきであると判断でき、これにより、断熱庫の場所の表示および冷温表示を見ながら、正しい商品見本Ｓ１３に入れ直すことができる。
【００４６】
図９は本発明にかかる他の実施の形態の自動販売機を示す模式図である。
この自動販売機は、上述した自動販売機と同様の構成を有するが、任意の選択ボタン、たとえば選択ボタンＢ５が押されたときに、その選択ボタンＢ５で選択される商品が収納されている断熱庫β内の全商品収納部β１〜β８に対応する選択ボタンＢ５〜Ｂ１２を全て特定表示する（図中、斜線で示している）点が異なる。
【００４７】
このため、管理者は、特定表示された選択ボタンＢ５〜Ｂ１２を見て、選択ボタンＢ５〜Ｂ１２で選択される商品の全てが投入金額表示部１５で表示される断熱庫βの冷温設定と同一であること、つまりこれらの商品の全てが加温状態であることを一括して認識することができる。よって、選択ボタンＢ５〜Ｂ１２の近傍に設けられた商品見本Ｓ５〜Ｓ１２、冷温表示板「Ｈ」の表示と合致しているかの確認をさらに容易に短時間で行なうことが可能となる。
【００４８】
選択ボタンＢ５〜Ｂ１２（あるいはＢ１〜Ｂ４、Ｂ１３〜Ｂ２０）を特定表示するためには、たとえば、図５に示した販売可ランプ１２ａが点灯される。これに代えて売切ランプ１２ｂを利用してもよい。
【００４９】
投入金額表示部１５に冷却「Ｃ」あるいは加温「Ｈ」を表示すると同時に、ブザー音で、加温は「ピ」、冷却「ピピピ」と差別化した音を発してもよく、それにより冷温設定種別の認識が容易かつ確実となる。
【００５０】
また、投入金額表示部１５への表示時期は、制御部１６に予め複数の表示モードを記憶させておき、その一つを前記確認用モードとして選択することで変更できるようにしておけば都合よい。かかる表示時期は、上記のような料金が投入されるまでの販売待機中であってよいが、これに限るものではなく、断熱庫２０の冷温設定変更後の一定時間、外扉７の開放時などとすることができる。
【００５１】
なお、上記の実施の形態では、各断熱庫２０に対応する選択ボタン１２が順に横並びに配列されている場合を述べたが、これに限るものではなく、各断熱庫２０に対応する選択ボタン１２が交互またはバラバラの位置に配列されている場合にも対応でき、そのような場合には、冷温表示板２３や商品見本６の位置を入れ間違える可能性が高くなるため、上記構成により、正しい冷温表示板２３や商品見本６の確認や入れ替えを行なえる効果が大きくなる。
【００５２】
また、断熱庫２０の場所および冷温表示の表示方法は上記に限るものではなく、たとえば図１０（ａ）（ｂ）（ｃ）に示すように、左側の３領域において断熱庫の場所の表示（□）を行い、残りの一領域で冷温表示（Ｃ，Ｈ）を行なってもよい。
【００５３】
また、上記の実施の形態では、冷温表示板２３をその取付け箇所に取付けてから、誤っていないかどうかを確認し、必要に応じて正しいものに入れ替える場合を説明したが、これに限るものではなく、冷温表示板２３を取付ける前に選択ボタン１２を押してその冷温状態を表示させて確認し、この表示された冷温状態にしたがって正しい冷温表示板２３を取付けてもよい。
【図面の簡単な説明】
【００５４】
【図１】本発明の実施の形態に係る自動販売機の全体斜視図である。
【図２】同自動販売機の前面扉を開けた状態を示す斜視図である。
【図３】同自動販売機の側面断面図である。
【図４】同自動販売機のブロック図である。
【図５】同自動販売機の商品見本と冷温表示部材と選択ボタンとを示す正面図である。
【図６】同自動販売機の投入金額表示部における表示例を示す図である。
【図７】同自動販売機の商品見本と冷温表示部材と選択ボタンと断熱庫の各配列の具体例を示す模式図である。
【図８】図７の配列を有する同自動販売機の投入金額表示部における表示例を示す図である。
【図９】図７の配列を有する同自動販売機の表示例を示す図である。
【図１０】図７の配列を有する同自動販売機の投入金額表示部における他の表示例を示す図である。
【符号の説明】
【００５５】
１      販売機本体
２      商品
３      商品収納部
７      外扉
１２    選択ボタン
１２ａ  販売可ランプ
１２ｂ  売切ランプ
１５    投入金額表示部（表示部）
２０    断熱庫
２３    冷温表示板
【図１】
2009053775.tif 000003
【図２】
2009053775.tif 000004
【図３】
2009053775.tif 000005
【図４】
2009053775.tif 000006
【図５】
2009053775.tif 000007
【図６】
2009053775.tif 000008
【図７】
2009053775.tif 000009
【図８】
2009053775.tif 000010
【図９】
2009053775.tif 000011
【図１０】
2009053775.tif 000012